(57)【要約】【課題】カバー内への羽虫の侵入を、専用の部材及び工程を必要とせずに防止し、良好な照明品質を確保し得る照明装置を提供する。【解決手段】光源を一面に保持する板状の保持体の外縁を構成する外装環２１にカバー３の周縁を係合させて取り付けてある照明装置において、外装環２１の端部にリブ２１ｂを周設し、このリブ２１ｂがカバー３の平坦部３２ｂに圧接されることで変形し、外装環１とカバー３との係合部に発生する隙間を塞ぐように構成する。【選択図】図４
2013225452.tif 000002
【特許請求の範囲】
【請求項１】
光源と、該光源を一面に保持する板状をなす保持体と、該保持体の外縁に周縁を係合させて取り付けてあり、前記一面を覆うカバーとを備える照明装置において、
前記保持体の外縁及び前記カバーの周縁の一方に周設され、他方との係合部に圧接されて変形するリブを備えることを特徴とする照明装置。
【請求項２】
前記リブは、複数並設してあることを特徴とする請求項１に記載の照明装置。
【請求項３】
前記係合部は、前記リブに圧接される平坦部を有することを特徴とする請求項１又は請求項２に記載の照明装置。
【請求項４】
前記保持体は、前記光源を保持する一面の中央部に、前記光源に対して光学的に隔絶して設けた周辺部品の取り付け部を備える請求項１から請求項３のいずれか１つに記載の照明装置。
【発明の詳細な説明】
【技術分野】
【０００１】
本発明は、光源を一面に保持する板状の保持体に前記一面を覆うようにカバーを取り付けて構成された照明装置に関する。
【背景技術】
【０００２】
近年、居室用の照明装置として、天井面に直接取り付けて使用するシーリングライトが普及している。シーリングライトは、一面に光源を保持する板状の保持体と、該保持体に前記一面を覆うように取り付けたカバーとを備え、居室の天井面に別途設けた固定用の枠体に前記保持体を固定し、該保持体の外縁に前記カバーの周縁を係合させて取り付け、該カバーにより下向きとされた前記光源の保持面を覆って構成されている。
【０００３】
光源としては、蛍光管が広く採用されているが、近年においては、ＬＥＤ（発光ダイオード）等の固体発光素子を光源とするシーリングライトも商品化されている。またカバーは、光の拡散性を有する樹脂製の成形品であり、光源の発光をカバーにより拡散して外部に出射させ、居室内を照明するように構成されている。
【０００４】
このように構成されたシーリングライトにおいては、保持体とカバーとの係合部に不可避の隙間が存在するため、この隙間を通ってカバーの内部に、光源の発光に誘引された羽虫が侵入するという問題がある。カバー内に羽虫が侵入した場合、光源の発光を遮る影としてカバー外から視認されて見栄えが悪化し、また外部への出射光が減少して照明品質が低下する等の種々の不具合を招来する。
【０００５】
この問題に対応するために、一般的には、保持体とカバーとの係合部にリング状のシール部材を介在させ、該シール部材により係合部の隙間を埋めて羽虫の侵入を防止する構成が採用されており、また特許文献１に開示された照明装置においては、保持体及びカバーの一方に植毛層を形成し、該植毛層を係合部の近傍で他方に接触させることで羽虫の侵入を防止するようにしている。
【先行技術文献】
【特許文献】
【０００６】
【特許文献１】特開２００９−９９３３７号公報
【発明の概要】
【発明が解決しようとする課題】
【０００７】
しかしながら、シール部材を介在させる構成においては、別部材としてのシール部材が必要であり、部品点数の増加による製品コストの上昇を招く上、使用者が、光源の交換を含む内部点検のためにカバーを着脱する際に、シール部材を傷つけ、又は紛失する虞れがあって、本来の侵入防止効果が得られなくなる虞れがある。
【０００８】
一方、特許文献１の構成においては、植毛層を構成する毛間にわずかな隙間が存在することから、前述したシール部材と同等の侵入防止効果は得難く、また支持体又はカバーに植毛層を形成するための工程（フロッキー加工）が別途必要であり、この工程の追加による生産性の低下、製品コストの上昇が避けられないという問題がある。
【０００９】
本発明は斯かる事情に鑑みてなされたものであり、カバー内への羽虫の侵入を、専用の部材及び工程を必要とせずに効果的に防止することができ、長期に亘って良好な照明品質を確保し得る照明装置を提供することを目的とする。
【課題を解決するための手段】
【００１０】
本発明に係る照明装置は、光源と、該光源を一面に保持する板状をなす保持体と、該保持体の外縁に周縁を係合させて取り付けてあり、前記一面を覆うカバーとを備える照明装置において、前記保持体の外縁及び前記カバーの周縁の一方に周設され、他方との係合部に圧接されて変形するリブを備えることを特徴とする。
【００１１】
本発明においては、カバーの取り付け時に相互に係合する保持体の外縁及びカバーの周縁の一方にリブを周設する。このリブは、他方との係合時に係合部に圧接されて変形し、該係合部に存在する隙間を塞ぎ、この隙間を通ってカバー内に羽虫が侵入することを防止する。リブは、保持体又はカバーとの一体成形により設けることができ、専用の部材又は工程を必要としない。リブの変形は、保持体とカバーとの係合時に、圧接される部分の形状に合わせて生じるから、係合部に存在する隙間を確実に塞ぎ、羽虫の侵入を効果的に防ぐことができる。
【００１２】
また本発明に係る照明装置は、前記リブが、複数並設してあることを特徴とする。
【００１３】
本発明においては、保持体の外縁及びカバーの周縁の一方に複数列に並べてリブを周設してあり、これらのリブが他方との圧接により変形することで係合部に存在する隙間を多重に塞ぎ、羽虫の侵入をより確実に防止する。
【００１４】
また本発明に係る照明装置は、前記係合部が、前記リブに圧接される平坦部を有することを特徴とする。
【００１５】
本発明においては、係合部に設けた平坦部にリブを圧接させ、該リブの変形を確実に行わせて係合部の隙間を塞ぎ、羽虫の侵入をより効果的に防止する。
【００１６】
また本発明に係る照明装置は、前記保持体が、前記光源を保持する一面の中央部に、前記光源に対して光学的に隔絶して設けた周辺部品の取り付け部を備えることを特徴とする。
【００１７】
本発明においては、光源を保持する保持体の一面中央部に周辺部品の取り付け部を設け、該取り付け部と光源との間を光学的に隔絶し、光源の発光は、取り付け部に配した周辺部品に当たることなく外部に出射され、カバーに周辺部品の投影像が現出して照明品質の低下を生じる虞れがない。周辺部品は、光源用の電源回路、制御回路を含む回路基板、該回路基板を商用電源に接続する接続部材、保持体を天井面に固定する固定部材等である。
【発明の効果】
【００１８】
本発明に係る照明装置においては、相互に係合する保持体の外縁及びカバーの周縁の一方に周設されたリブが、他方との圧接により変形して係合部の隙間を塞ぐから、カバー内に羽虫の侵入を専用の部材及び工程を必要とせずに防止することができ、簡素な構成により長期に亘って良好な照明品質を確保することが可能となる等、本発明は優れた効果を奏する。
【図面の簡単な説明】
【００１９】
【図１】実施の形態に係る照明装置の分解斜視図である
【図２】実施の形態に係る照明装置の半部を示す縦断面図である。
【図３】保持体の平面図である。
【図４】外装環とカバーとの係合部の拡大断面図である。
【図５】外装環の成形方法の説明図である。
【図６】外装環の他の実施の形態を示す断面図である。
【発明を実施するための形態】
【００２０】
以下本発明をその実施の形態を示す図面に基づいて詳述する。図１は、実施の形態に係る照明装置を分解斜視図、図２は、実施の形態に係る照明装置の半部を示す縦断面図である。照明装置は、光源１と、該光源１を一面に保持する板状の保持体２と、該保持体２に前記光源１の保持面を覆うように取り付けられるカバー３とを備えている。
【００２１】
図２に示す如く保持体２は、円板形のシャーシ２０の外周に円環形の外装環２１を取り付けて構成されている。図３は、保持体２の平面図である。本図に示す如く、シャーシ２０は、中央に開設された取付け穴２２と、該取付け穴２２の外側を一面側に突出させ、２重円環状をなして形成された支持環２３と、外周部を前記一面側に斜めに張り出すように屈曲成形してなる鍔部２４とを備えている。このようなシャーシ２０は、綱板、アルミニウム板等の金属板の成形により一工程で製造することができる。
【００２２】
外装環２１は、ポリカーボネート樹脂等、光を拡散透過せしめる特性を有する樹脂製の成形品であり、図２に示す如く、シャーシ２０外周の鍔部２４に内周を重ね、止めねじ２５により周方向の複数箇所（図３参照）に締め付け固定され、保持体２の外縁を構成している。
【００２３】
光源１は、図１に示す如く、短冊形をなす基板１０の一面に複数のＬＥＤ１１を実装して構成されたＬＥＤ光源であり、支持環２３と鍔部２４との間の平坦化されたシャーシ２０の底面に、該シャーシ２０と同心の円周上に基板１０の長手方向を沿わせ、ＬＥＤ１１の実装面を外向きとして複数（図においては８個）並べて、各別の止めねじ２６（図２参照）により固定されている。なお光源１は、図示のＬＥＤ光源に限らず、リング形の蛍光管等の他の光源であってもよい。
【００２４】
シャーシ２０に設けられた２重の支持環２３は、回路基板４の取り付け座として利用されている。回路基板４は、図１に示す如く、円環状に成形された平板であり、その一面には、光源１用の電源回路、制御回路を構成する回路部品が実装されている。この回路基板４は、外側の支持環２３に外周を重ねて止めねじ２７（図２参照）により固定し、また内側の支持環２３にアダプタリング４０を介して内周を重ねて、内外の支持環２３間に掛け渡すように、回路部品の実装面を外向きとして取り付けてある。
【００２５】
このように取り付けられた回路基板４は、シャーシ２０の底面に沿わせた配線（図示を省略する）により光源１を構成する基板１０に接続されている。また内外の支持環２３間の平坦部には、環状をなす絶縁シート４１が全面に被着され、回路基板４とシャーシ２０との間の絶縁を確保している。
【００２６】
外側の支持環２３は、シールド４２の取り付け座としても用いられている。シールド４２は、図２に示す断面形状を有して成形された導体金属製の環体であり、外側の支持環２３に外周を重ねて固定し、斜めに立ち上がり内向きに延びる延長部により回路基板４の実装面を適宜の距離を隔てて覆うように取り付けてある。このように取り付けられたシールド４２は、回路基板４を外部環境に対して電磁的に遮蔽し、該回路基板４上の回路の誤動作を防止する作用をなす。またシールド４２は、後述するようにカバー３及び反射シート１２の内周を支持する支持部材としても機能する。
【００２７】
反射シート１２は、図２に示す如く下底側の全面が開放された台形断面を有し、図１に示す如く広幅の環状をなして成形された樹脂製のシートである。この反射シート１２は、光源１が取り付けられたシャーシ２０の底面（支持環２３と鍔部２４との間の平坦部）に上底を沿わせ、前述した止めねじ２６により基板１０と共締め固定し、外側の斜辺をシャーシ２０の鍔部２４の内面に沿わせ、前述した止めねじ２５により外装環２１と共締め固定してシャーシ２０に取り付けてある。また反射シート１２の内側の斜辺は、前述したシールド４２の取り付け部を囲うように延び、斜辺の内周縁は、止めねじ２８により、シールド４２の頂部に後述するカバー３と共締め固定されている。
【００２８】
反射シート１２には、光源１を構成する基板１０上の各複数のＬＥＤ１１の実装位置に合わせて窓孔が形成されている。複数の基板１０に実装されたＬＥＤ１１は、図２に示す如く、対応する窓孔を経て露出せしめてあり、これらの露出部は、拡散レンズ１３により覆ってある。拡散レンズ１３は、図１に示す如く、シャーシ２０の底面上でのＬＥＤ１１の配設周に対応するように環状に成形された樹脂レンズであり、反射シート１２から露出する全てのＬＥＤ１１を一括して覆うように取り付けてある。
【００２９】
照明装置は、以上の如く構成されたシャーシ２０の光源１の取り付け面をカバー３により覆って構成されている。カバー３は、ポリカーボネート樹脂等の光を拡散透過せしめる性質を有する樹脂製の円板であり、図２に示す如く、大曲率で湾曲する断面形状を有し、前記外装環２１よりもわずかに大きい外径を有している。
【００３０】
カバー３の中心部には、円形の開口３０が開設され、該開口３０の周縁部には、カバー３の湾曲中心に向けて凹ませて円形の係合凹部３１が形成され、また、カバー３の外周縁部には、湾曲中心の側に立ち上がる係合突起３２が一体形成されており、カバー３は、外周の係合突起３２を外装環２１に外側から係合させる一方、内周の係合凹部３２をシールド４２の頂部に重ね、前述した止めねじ２８により反射シート１２と共締め固定することにより、光源１を保持するシャーシ２０の底面全体を覆うように取り付けられている。
【００３１】
カバー３中央の係合凹部３１には、センターカバー３３が着脱自在に装着されている。センターカバー３３は、係合凹部３１と略同径の円板形をなす樹脂成形品であり、図２に示す如く、係合凹部３３に嵌め込まれ、開口３０を覆うように取り付けてある。
【００３２】
実施の形態に係る照明装置の特徴は、保持体２の外縁を構成する外装環２１とカバー３の周縁との係合構造にある。図４は、外装環２１とカバー３との係合部の拡大断面図である。本図に示す如く、カバー３の周縁部に立設された係合突起３２は、先端を略直角に屈曲させ、カバー３の径方向内向きに延びる係合爪３２ａを備えている。またカバー３には、係合突起３２が立ち上がる周縁部に、前記係合爪３２ａと略平行をなす平坦部３２ｂが設けられている。
【００３３】
外装環２１は、シャーシ２０の鍔部２４の外縁を、カバー３の取り付け側に向けて湾曲して覆う傘形の形状を有している。外装環２１には、外周面から径方向外向きに張り出す係合フランジ２１ａが周設されており、カバー３は、前記係合爪３２ａと前記平坦部３２ｂとの間に係合フランジ２１ａを挾持して外装環２１に係合されている。なおこの係合は、外装環２１とカバー３とを位置合わせし、係合フランジ２１ａの外縁に係合突起３２先端の係合爪３２ａを当接させて、カバー３の周縁を外装環２１に押し込むことにより、樹脂製の外装環２１及び係合突起３２の弾性変形を伴って実現される。
【００３４】
この係合によりカバー３の平坦部３２ｂに当接する外装環２１の端面には、内周側の全周にリブ２１ｂが設けてあり、このリブ２１ｂは、図４に示す如く、平坦部３２ｂに圧接されることで潰れ変形し、外装環２１とカバー３との間の隙間を塞ぐ作用をなす。また、リブ２１ｂの変形の反作用により、係合フランジ２１ａは、カバー３から離反する向きに押されて係合爪３２ａに密着することとなり、この部分の隙間も有効に塞がれる。
【００３５】
図５は、外装環２１の成形方法の説明図である。樹脂製の外装環２１は、図中に２点鎖線により示す上型６と下型７とを合わせ、両者間の合わせ部に樹脂を注入、固化せしめることにより製造される。前述の如く設けられるリブ２１ｂは、同側面を成形する下型７をリブ２１ｂの周設位置にて分離可能な内型７０と外型７１とで構成し、内型７０の外周に当接する外型７１の角部に面取り７２を設けることで、容易に、しかも高精度に成形することができる。
【００３６】
以上の如く構成された照明装置は、図２に示す如く、居室の天井面５に保持体２を、光源１の取り付け面が下向きとなるように固定して使用される。保持体２の固定は、例えば、シャーシ２０中央の取付け穴２２を天井面５の該当位置に別途設けた固定用の枠体５０に嵌め込み、該枠体５０に固定具５１を係合させて、取付け穴２２の周縁部を枠体５０と固定具５１との間に挾持することにより実現される。また保持体２は、固定具５１の係合を解除することで取外すことができる。
【００３７】
センターカバー３３は、保持体２の着脱の際には取り外される。固定具５１の係合及び係合解除操作は、センターカバー３３を取り外し、開放された開口３０から実施することができる。センターカバー３３は、保持体２の固定後に装着されて開口３０を塞ぎ、枠体５０、固定具５１、シールド４２、回路基板４等を含む周辺部品が外部から見通されることを防止する作用をなす。
【００３８】
固定具５１は、回路基板４をアダプタリング４０を介して商用電源に接続する接続具を兼ねており、回路基板４上の電源回路、制御回路は、リモコン、壁面スイッチ等の操作により動作し、保持部２に保持された基板１０上のＬＥＤ１１が発光する。ＬＥＤ１１の発光は、拡散レンズ１３に拡散され、反射シート１２により反射されて保持体２の内部全域に拡がり、カバー３を透過して外部に出射されて居室内を照明する。カバー３は、前述した如く、光を拡散透過せしめる特性を有する樹脂製であり、光源１の発光は、カバー３の全面に拡がって出射され、居室内を良好に照明することができる。
【００３９】
シャーシ２０の外周を縁取る外装環２１は、前述の如く、光を拡散透過せしめる特性を有する樹脂製であり、光源１の発光の一部は、外装環２１を通して天井面５を照らすから、天井面５に投影される保持体２の影が居室内の使用者に視認される虞れがなく、良好な照明品質を確保することができる。
【００４０】
枠体５０、固定具５１、シールド４２、回路基板４等の周辺部品は、シャーシ２０の中央部に取り付けてあり、この取り付け部は、前述したように設けた反射シート１２により光源１に対して光学的に隔絶されている。従って、光源１の発光は、周辺部品に当たることなく外部に出射され、カバー３に周辺部品の投影像が現出して照明品質の低下を生じる虞れはない。回路基板４と光源１とは、前述の如く、シャーシ２０底面に沿わせた配線により接続され、これらの配線も反射シート１２に覆われるから、カバー３に配線の投影像が現出する虞れもない。
【００４１】
実施の形態の照明装置においては、保持体２の外縁を構成する外装環２１とカバー３の周縁との係合部において、前述の如く、外装環２１に設けたリブ２１ｂがカバー３に設けた平坦部３２ｂに圧接されて潰れ変形し、外装環２１とカバー３との係合部に不可避に発生する隙間を塞ぐから、光源１の発光により誘引された羽虫がカバー３内に侵入することを確実に防止することができ、良好な照明品質を確保することができる。
【００４２】
以上の作用をなすリブ２１ｂは、樹脂製の外装環２１の成形過程において、成形型（下型７）の簡易な改良により外装環２１と一体形成することができ、羽虫の侵入を防止するという本来の目的を、別部材としてのシール部材を使用せず、また別工程を必要しない簡素な構成により実現することができる。
【００４３】
また外装環２１に設けたリブ２１ｂは、カバー３に設けた平坦部３２ｂに圧接されるから、リブ２１ｂの変形を外装環２１の全周に亘って均一な条件下で行わせ、係合部の隙間の閉塞をより確実に塞ぐことができる。
【００４４】
図６は、外装環２１の他の実施の形態を示す断面図である。この外装環２１は、カバー３の取り付け時に平坦部３２ｂに当接すべき端面に径方向に３列に並ぶリブ２１ｂを備えている。これらのリブ２１ｂは、平坦部３２ｂへの圧接により潰れ変形し、夫々の位置で外装環２１とカバー３との間の隙間を塞ぐから、カバー３の内外間に３重の障壁が形成されて、カバー３内への羽虫の侵入をより確実に防止することができる。なお、リブ２１ｂの並設数は、図示の３列に限らず、２列であってもよく、また外装環２１の端面の範囲内に配設可能であれば、４列以上であってもよい。
【００４５】
以上の実施の形態においては、外装環２１の端面にリブ２１ｂを設け、該リブ２１ｂがカバー３の平坦面３２ｂと圧接されて変形するように構成してあるが、これとは逆に、カバー３の側にリブを設け、該リブが外装環２１との圧接により変形する構成としてもよいことは言うまでもない。
【符号の説明】
【００４６】
１      光源
２      保持体
３      カバー
２１    外装環
２１ｂ  リブ
３２ｂ  平坦部
【図１】
2013225452.tif 000003
【図２】
2013225452.tif 000004
【図３】
2013225452.tif 000005
【図４】
2013225452.tif 000006
【図５】
2013225452.tif 000007
【図６】
2013225452.tif 000008